(57)【要約】      （修正有）【課題】ベッドフックが様々な幅を有する支持具にしっかりと固定され得るように調節可能である、ベッドフックを提供すること。【解決手段】物体を支持具に固定するための、入れ子式に調節可能なクランプ１は、周囲に延びる複数の溝を有するアンカー棒を備え得、これらの溝は、少なくとも１つのバリア壁を規定する。位置決め部材３０は受部を規定し、この受部は、アンカー棒の一部分を受容し、そしてこの受部内でこの位置決め部材に対するこのアンカー棒の動きを可能にする。この位置決め部材は位置決めタブを備え、この位置決めタブは、この受部内に突出し、これらの溝のうちの１つに受容されるためのサイズおよび形状にされる。この位置決め部材は、このアンカー棒の長手方向軸からほぼ半径方向外向きに延びるクランプ留め部材４２を支持する。このアンカー棒とこの位置決め部材との相対移動は、このクランプ留め部材とこの物体との間の距離を変化させる。【選択図】図１
2009112822.tif 000002
【特許請求の範囲】
【請求項１】
物体を支持具に固定するための、入れ子式に調節可能なクランプであって、該クランプは、
アンカー棒であって、該アンカー棒は、第一の端部分、第二の端部分および長手方向軸を有し、該アンカー棒は、該アンカー棒の該第一の端部分において、該物体に固定されるために適合されており、そして該アンカー棒に形成された、軸方向に間隔を空けて周囲に延びる複数の溝を備え、該溝は、隣接する溝の間に少なくとも１つのバリア壁を規定する、アンカー棒；
受部を規定する位置決め部材であって、該受部は、該アンカー棒の少なくとも該第二の端部分を受容して、該受部内で該位置決め部材に対する該アンカー棒の動きを可能にするためのサイズおよび形状にされており、該位置決め部材は、位置決めタブを備え、該位置決めタブは、該受部内に突出しており、そして該溝のうちの１つに受容されて該バリア壁によって該１つの溝内に保持されるためのサイズおよび形状にされており、
該位置決めタブおよび該バリア壁のうちの少なくとも一方は、該溝のうちの１つを移動させて該位置決めタブから外すために、該アンカー棒の該長手方向軸に沿った解放力の付与の際に弾力的に偏向可能である、位置決め部材；ならびに
クランプ留め部材であって、該クランプ留め部材は、該位置決め部材によって支持されており、そして該アンカー棒の該長手方向軸からほぼ半径方向外向きに延びており、該アンカー棒と該位置決め部材との相対移動は、該物体を該支持具にクランプ留めするために、該クランプ留め部材と該アンカー棒の該第一の端部分との間の距離を変化させる、クランプ留め部材、
を備える、入れ子式に調節可能なクランプ。
【請求項２】
前記位置決めタブが、前記受部の、前記クランプ留め部材から遠い方の端部に位置する、請求項１に記載の入れ子式に調節可能なクランプ。
【請求項３】
前記位置決め部材が、フィンガーを備え、該フィンガーは、該位置決め部材の残りの部分に可撓性に接合した基部、および該基部の反対側の自由端縁部を有し、前記位置決めタブは、ほぼ該フィンガーの該自由端縁部に位置する、請求項２に記載の入れ子式に調節可能なクランプ。
【請求項４】
前記フィンガーが、前記位置決め部材の受部の一部分を規定する、請求項３に記載の入れ子式に調節可能なクランプ。
【請求項５】
前記受部が、支持セクションを備え、該支持セクションは、前記アンカー棒を前記位置決め部材に対して横方向に移動しないように支持するために、前記溝のうちの少なくとも１つの両側で該アンカー棒とスライドするが緊密に接触して係合するためのサイズにされている、請求項２に記載の入れ子式に調節可能なクランプ。
【請求項６】
前記受部が、捕捉セクションを備え、該捕捉セクション内に、前記アンカー棒の第二の端部が捕捉される、請求項５に記載の入れ子式に調節可能なクランプ。
【請求項７】
前記受部の前記捕捉セクションが、前記支持セクションより大きい直径を有し、そして前記アンカー棒が、保持具を有し、該保持具は、該アンカー棒から、該支持セクションの半径より大きい半径まで外向きに突出する、請求項６に記載の入れ子式に調節可能なクランプ。
【請求項８】
前記受部が１つのみの位置決めタブを備える、請求項２に記載の入れ子式に調節可能なクランプ。
【請求項９】
前記クランプ留め部材が、前記支持具を把持するための少なくとも１片の摩擦発生材料を備える、請求項２に記載の入れ子式に調節可能なクランプ。
【請求項１０】
前記アンカー棒が、第一のアンカー棒を構成し、そして前記位置決め部材が、第一の位置決め部材を構成し、そして前記入れ子式に調節可能なクランプが、
第二のアンカー棒であって、該第二のアンカー棒が、第一の端部分、第二の端部分および長手方向軸を有し、該第二のアンカー棒は、該第二のアンカー棒の該第一の端部分において前記物体に固定されるために適合されており、そして該第二のアンカー棒に形成された、軸方向に間隔を空けた周囲に延びる複数の溝を備え、該溝は、隣接する溝の間に少なくとも１つのバリア壁を規定する、第二のアンカー棒；ならびに
受部を規定する第二の位置決め部材であって、該受部は、該第二のアンカー棒の少なくとも該第二の端部分を受容して、該受部内での該第二の位置決め部材に対する該第二のアンカー棒の動きを可能にするためのサイズおよび形状にされており、該第二の位置決め部材は、位置決めタブを備え、該位置決めタブは、該溝のうちの少なくとも１つに受容され、そして該バリア壁によって該１つの溝内に保持されるためのサイズおよび形状にされている、第二の位置決め部材、
をさらに備え；
該第二の位置決め部材の位置決めタブおよび該第二のアンカー棒の該バリア壁のうちの少なくとも一方は、該位置決めタブを移動させて該溝のうちの１つから外すために、該第二のアンカー棒の長手方向軸に沿った解放力の付与の際に弾力的に偏向可能であり；
前記クランプ留め部材は、該第一の位置決め部材および該第二の位置決め部材によって支持される、
請求項１に記載の入れ子式に調節可能なクランプ。
【請求項１１】
前記第一の位置決め部材および前記第二の位置決め部材に取り付けられた把持部材をさらに備え、該把持部材は、前記クランプを前記支持具に取り付ける間または該クランプを該支持具から取り外す間に、該クランプを把持するためのものであり、そして前記クランプ留め部材は、間隔を空けた２つのレッグを備え、該レッグは、該第一のアンカー棒の長手方向軸および前記第二のアンカー棒の長手方向軸のそれぞれから、ほぼ半径方向に突出している、請求項１０に記載の入れ子式に調節可能なクランプ。
【請求項１２】
前記クランプ留め部材と前記位置決め部材との間に延びる、前記支持具に係合するための段付き構成物をさらに備える、請求項１に記載の入れ子式に調節可能なクランプ。
【請求項１３】
前記物体が医療デバイスであり、前記アンカー棒が、該医療デバイスに接続されており、前記クランプ留め部材が、前記支持具を該医療デバイスと該クランプ留め部材との間にクランプ留めするために、該医療デバイスに対向する関係で配置される、物体と組み合わせられた請求項１に記載の入れ子式に調節可能なクランプ。
【請求項１４】
前記物体が、連続的圧縮デバイスのための制御装置である、請求項１３に記載の入れ子式に調節可能なクランプおよび物体。
【請求項１５】
物体を支持具に固定するためのクランプであって、該クランプは、
１対のアンカー棒であって、該アンカー棒の各々は、長手方向軸を有し、そして該物体への固定のために適合されている、１対のアンカー棒；
位置決め部材であって、該位置決め部材の各々は、該位置決め部材とスライドする関係で該アンカー棒のうちのそれぞれ一方を受容する、位置決め部材；
クランプ留め部材であって、該クランプ留め部材の各々は、該アンカー棒に対する該位置決め部材との連動のために、該位置決め部材のうちのそれぞれ１つに接続され、該クランプ留め部材は、該アンカー棒の該長手方向軸からほぼ半径方向外向きに延びる、クランプ留め部材；ならびに
把持部材であって、該把持部材は、該位置決め部材および該クランプ留め部材に接続されており、そして該位置決め部材の間隔を空けており、該把持部材は、手での把持のためのサイズにされており、そして湾曲した輪郭を有する、把持部材、
を備える、クランプ。
【請求項１６】
前記把持部材が、長手方向軸を有し、該把持部材の前記湾曲した輪郭が、該把持部材の該長手方向軸周りの方向に湾曲しており、そして該把持部材が、該把持部材を把持する手の指の一部分を受容するための指用窪みを形成されている、請求項１５に記載のクランプ。
【請求項１７】
前記把持部材が、前面および後面を有し、該後面は、前記アンカー棒に対して該前面よりも近くに位置し、前記指用窪みは、該把持部材の該後面に位置している、請求項１６に記載のクランプ。
【請求項１８】
前記クランプ留め部材が、２つのレッグを備え、該レッグは、前記把持部材および前記位置決め部材から外向きに延び、該レッグおよび該把持部材は、ほぼ逆「Ｕ」字型の形状を形成するように配置されており、該レッグの各々が、該把持部材から遠い方の端部に向かって幅がテーパ状である、請求項１５に記載のクランプ。
【請求項１９】
少なくとも１片の摩擦発生材料をさらに備え、該少なくとも１片の摩擦発生材料は、各レッグに設置されている、請求項１８に記載のクランプ。
【請求項２０】
前記位置決め部材、前記把持部材および前記レッグが、プラスチックから成形されている、請求項１８に記載のクランプ。
【請求項２１】
前記位置決め部材および前記レッグが、病院環境において使用される消毒薬およびクレンザーと化学的に適合性である樹脂から作製されている、請求項２０に記載のクランプ。
【請求項２２】
前記位置決め部材と前記クランプ留め部材との間に、前記支持具に係合するための段付き構成物をさらに備える、請求項１５に記載のクランプ。
【請求項２３】
各アンカー棒が、該アンカー棒に形成された、間隔を空けた周囲に延びる複数の溝を備え、そして各位置決め部材が、位置決めタブを備え、該位置決めタブは、該溝に受容されるためのサイズおよび形状にされており、該位置決めタブは、該溝からの取り外しのために弾力的に移動可能である、請求項１５に記載のクランプ。
【請求項２４】
前記物体が医療デバイスであり、前記アンカー棒が、該医療デバイスに接続されており、そして前記クランプ留め部材が、前記支持具を該医療デバイスと該クランプ留め部材との間にクランプ留めするために、該医療デバイスと対向する関係で配置される、物体と組み合わせられた請求項１５に記載のクランプ。
【請求項２５】
前記物体が、連続的圧縮デバイスのための制御装置である、請求項２４に記載のクランプおよび物体。
【発明の詳細な説明】
【技術分野】
【０００１】
本発明は、物体を支持具に固定するための装置に関し、特に、連続的圧縮デバイスの制御装置を支持具に固定するための装置に関する。
【背景技術】
【０００２】
身体部分（例えば、脚）の圧縮は、血液循環の問題（特に、心臓への乏しい静脈還流）を有するヒトに対して有用である。今日市場にある圧縮治療デバイスは、脚および／または足を囲む１つ以上の空気式ブラダーを使用して、周期的な圧縮を付与する。これらのブラダーは、予め決定された順序で、所定の圧力まで、予め決定された時間間隔にわたって膨張させられる。この膨張を操作する制御装置は、通常、空気ポンプおよび弁を使用する。これらの弁は、空気の流れをブラダーへと方向付けるように作動する。この制御装置は、これらのブラダーから離れた位置（例えば、ベッドの足板、床またはナイトテーブルの上）に置かれる。この制御装置を足板に固定するために、この制御装置にベッドフックが取り付けられる。
【０００３】
以前の１つのベッドフックの設計は、ほぼＵ字型の棒を備え、この棒は、その両端で、この制御装置の背面に取り付けられる。この棒は、外向きに延び、そしてこの制御装置の背面から下向きに屈曲して、フックを形成する。足板の頂部は、この制御装置とこの棒の下向きに屈曲した部分との間に位置し得る。足板の幅は様々であり得、そしてループ状の棒が硬く調節不可能であるので、この制御装置は、この足板に常にしっかりと固定されるとは限らないかもしれない。別のベッドフックの設計は、２つのアームを備え、これらのアームは、制御装置に旋回可能に取り付けられる。この制御装置をベッドの足板に固定するためには、これらのアームがこの制御装置から外向きに回され、そして足板が、これらのアームと制御装置との間の空間に配置される。
【０００４】
以前のベッドフックの設計は、様々な幅を有する足板に制御装置がしっかりと固定されることを可能にしない。いくつかの環境において、この制御装置は、ベッドに安全に固定され得ないので、床の上に置かれなければならない。
【発明の開示】
【発明が解決しようとする課題】
【０００５】
従って、ベッドフックが様々な幅を有する支持具にしっかりと固定され得るように調節可能である、ベッドフックが必要とされている。
【課題を解決するための手段】
【０００６】
上記課題を解決するために、本発明は、例えば、以下を提供する：
（項目１）
物体を支持具に固定するための、入れ子式に調節可能なクランプであって、該クランプは、
アンカー棒であって、該アンカー棒は、第一の端部分、第二の端部分および長手方向軸を有し、該アンカー棒は、該アンカー棒の該第一の端部分において、該物体に固定されるために適合されており、そして該アンカー棒に形成された、軸方向に間隔を空けて周囲に延びる複数の溝を備え、該溝は、隣接する溝の間に少なくとも１つのバリア壁を規定する、アンカー棒；
受部を規定する位置決め部材であって、該受部は、該アンカー棒の少なくとも該第二の端部分を受容して、該受部内で該位置決め部材に対する該アンカー棒の動きを可能にするためのサイズおよび形状にされており、該位置決め部材は、位置決めタブを備え、該位置決めタブは、該受部内に突出しており、そして該溝のうちの１つに受容されて該バリア壁によって該１つの溝内に保持されるためのサイズおよび形状にされており、
該位置決めタブおよび該バリア壁のうちの少なくとも一方は、該溝のうちの１つを移動させて該位置決めタブから外すために、該アンカー棒の該長手方向軸に沿った解放力の付与の際に弾力的に偏向可能である、位置決め部材；ならびに
クランプ留め部材であって、該クランプ留め部材は、該位置決め部材によって支持されており、そして該アンカー棒の該長手方向軸からほぼ半径方向外向きに延びており、該アンカー棒と該位置決め部材との相対移動は、該物体を該支持具にクランプ留めするために、該クランプ留め部材と該アンカー棒の該第一の端部分との間の距離を変化させる、クランプ留め部材、
を備える、入れ子式に調節可能なクランプ。
【０００７】
（項目２）
上記位置決めタブが、上記受部の、上記クランプ留め部材から遠い方の端部に位置する、項目１に記載の入れ子式に調節可能なクランプ。
【０００８】
（項目３）
上記位置決め部材が、フィンガーを備え、該フィンガーは、該位置決め部材の残りの部分に可撓性に接合した基部、および該基部の反対側の自由端縁部を有し、上記位置決めタブは、ほぼ該フィンガーの該自由端縁部に位置する、項目２に記載の入れ子式に調節可能なクランプ。
【０００９】
（項目４）
上記フィンガーが、上記位置決め部材の受部の一部分を規定する、項目３に記載の入れ子式に調節可能なクランプ。
【００１０】
（項目５）
上記受部が、支持セクションを備え、該支持セクションは、上記アンカー棒を上記位置決め部材に対して横方向に移動しないように支持するために、上記溝のうちの少なくとも１つの両側で該アンカー棒とスライドするが緊密に接触して係合するためのサイズにされている、項目２に記載の入れ子式に調節可能なクランプ。
【００１１】
（項目６）
上記受部が、捕捉セクションを備え、該捕捉セクション内に、上記アンカー棒の第二の端部が捕捉される、項目５に記載の入れ子式に調節可能なクランプ。
【００１２】
（項目７）
上記受部の上記捕捉セクションが、上記支持セクションより大きい直径を有し、そして上記アンカー棒が、保持具を有し、該保持具は、該アンカー棒から、該支持セクションの半径より大きい半径まで外向きに突出する、項目６に記載の入れ子式に調節可能なクランプ。
【００１３】
（項目８）
上記受部が１つのみの位置決めタブを備える、項目２に記載の入れ子式に調節可能なクランプ。
【００１４】
（項目９）
上記クランプ留め部材が、上記支持具を把持するための少なくとも１片の摩擦発生材料を備える、項目２に記載の入れ子式に調節可能なクランプ。
【００１５】
（項目１０）
上記アンカー棒が、第一のアンカー棒を構成し、そして上記位置決め部材が、第一の位置決め部材を構成し、そして上記入れ子式に調節可能なクランプが、
第二のアンカー棒であって、該第二のアンカー棒が、第一の端部分、第二の端部分および長手方向軸を有し、該第二のアンカー棒は、該第二のアンカー棒の該第一の端部分において上記物体に固定されるために適合されており、そして該第二のアンカー棒に形成された、軸方向に間隔を空けた周囲に延びる複数の溝を備え、該溝は、隣接する溝の間に少なくとも１つのバリア壁を規定する、第二のアンカー棒；ならびに
受部を規定する第二の位置決め部材であって、該受部は、該第二のアンカー棒の少なくとも該第二の端部分を受容して、該受部内での該第二の位置決め部材に対する該第二のアンカー棒の動きを可能にするためのサイズおよび形状にされており、該第二の位置決め部材は、位置決めタブを備え、該位置決めタブは、該溝のうちの少なくとも１つに受容され、そして該バリア壁によって該１つの溝内に保持されるためのサイズおよび形状にされている、第二の位置決め部材、
をさらに備え；
該第二の位置決め部材の位置決めタブおよび該第二のアンカー棒の該バリア壁のうちの少なくとも一方は、該位置決めタブを移動させて該溝のうちの１つから外すために、該第二のアンカー棒の長手方向軸に沿った解放力の付与の際に弾力的に偏向可能であり；
上記クランプ留め部材は、該第一の位置決め部材および該第二の位置決め部材によって支持される、
項目１に記載の入れ子式に調節可能なクランプ。
【００１６】
（項目１１）
上記第一の位置決め部材および上記第二の位置決め部材に取り付けられた把持部材をさらに備え、該把持部材は、上記クランプを上記支持具に取り付ける間または該クランプを該支持具から取り外す間に、該クランプを把持するためのものであり、そして上記クランプ留め部材は、間隔を空けた２つのレッグを備え、該レッグは、該第一のアンカー棒の長手方向軸および上記第二のアンカー棒の長手方向軸のそれぞれから、ほぼ半径方向に突出している、項目１０に記載の入れ子式に調節可能なクランプ。
【００１７】
（項目１２）
上記クランプ留め部材と上記位置決め部材との間に延びる、上記支持具に係合するための段付き構成物をさらに備える、項目１に記載の入れ子式に調節可能なクランプ。
【００１８】
（項目１３）
上記物体が医療デバイスであり、上記アンカー棒が、該医療デバイスに接続されており、上記クランプ留め部材が、上記支持具を該医療デバイスと該クランプ留め部材との間にクランプ留めするために、該医療デバイスに対向する関係で配置される、物体と組み合わせられた項目１に記載の入れ子式に調節可能なクランプ。
【００１９】
（項目１４）
上記物体が、連続的圧縮デバイスのための制御装置である、項目１３に記載の入れ子式に調節可能なクランプおよび物体。
【００２０】
（項目１５）
物体を支持具に固定するためのクランプであって、該クランプは、
１対のアンカー棒であって、該アンカー棒の各々は、長手方向軸を有し、そして該物体への固定のために適合されている、１対のアンカー棒；
位置決め部材であって、該位置決め部材の各々は、該位置決め部材とスライドする関係で該アンカー棒のうちのそれぞれ一方を受容する、位置決め部材；
クランプ留め部材であって、該クランプ留め部材の各々は、該アンカー棒に対する該位置決め部材との連動のために、該位置決め部材のうちのそれぞれ１つに接続され、該クランプ留め部材は、該アンカー棒の該長手方向軸からほぼ半径方向外向きに延びる、クランプ留め部材；ならびに
把持部材であって、該把持部材は、該位置決め部材および該クランプ留め部材に接続されており、そして該位置決め部材の間隔を空けており、該把持部材は、手での把持のためのサイズにされており、そして湾曲した輪郭を有する、把持部材、
を備える、クランプ。
【００２１】
（項目１６）
上記把持部材が、長手方向軸を有し、該把持部材の上記湾曲した輪郭が、該把持部材の該長手方向軸周りの方向に湾曲しており、そして該把持部材が、該把持部材を把持する手の指の一部分を受容するための指用窪みを形成されている、項目１５に記載のクランプ。
【００２２】
（項目１７）
上記把持部材が、前面および後面を有し、該後面は、上記アンカー棒に対して該前面よりも近くに位置し、上記指用窪みは、該把持部材の該後面に位置している、項目１６に記載のクランプ。
【００２３】
（項目１８）
上記クランプ留め部材が、２つのレッグを備え、該レッグは、上記把持部材および上記位置決め部材から外向きに延び、該レッグおよび該把持部材は、ほぼ逆「Ｕ」字型の形状を形成するように配置されており、該レッグの各々が、該把持部材から遠い方の端部に向かって幅がテーパ状である、項目１５に記載のクランプ。
【００２４】
（項目１９）
少なくとも１片の摩擦発生材料をさらに備え、該少なくとも１片の摩擦発生材料は、各レッグに設置されている、項目１８に記載のクランプ。
【００２５】
（項目２０）
上記位置決め部材、上記把持部材および上記レッグが、プラスチックから成形されている、項目１８に記載のクランプ。
【００２６】
（項目２１）
上記位置決め部材および上記レッグが、病院環境において使用される消毒薬およびクレンザーと化学的に適合性である樹脂から作製されている、項目２０に記載のクランプ。
【００２７】
（項目２２）
上記位置決め部材と上記クランプ留め部材との間に、上記支持具に係合するための段付き構成物をさらに備える、項目１５に記載のクランプ。
【００２８】
（項目２３）
各アンカー棒が、該アンカー棒に形成された、間隔を空けた周囲に延びる複数の溝を備え、そして各位置決め部材が、位置決めタブを備え、該位置決めタブは、該溝に受容されるためのサイズおよび形状にされており、該位置決めタブは、該溝からの取り外しのために弾力的に移動可能である、項目１５に記載のクランプ。
【００２９】
（項目２４）
上記物体が医療デバイスであり、上記アンカー棒が、該医療デバイスに接続されており、そして上記クランプ留め部材が、上記支持具を該医療デバイスと該クランプ留め部材との間にクランプ留めするために、該医療デバイスと対向する関係で配置される、物体と組み合わせられた項目１５に記載のクランプ。
【００３０】
（項目２５）
上記物体が、連続的圧縮デバイスのための制御装置である、項目２４に記載のクランプおよび物体。
【００３１】
物体を支持具に固定するための、入れ子式に調節可能なクランプは、周囲に延びる複数の溝を有するアンカー棒を備え得、これらの溝は、少なくとも１つのバリア壁を規定する。この位置決め部材は、受部を規定し、この受部は、このアンカー棒の一部分を受容し、そしてこの受部内で、この位置決め部材に対するこのアンカー棒の動きを可能にする。この位置決め部材は、位置決めタブを備え、この位置決めタブは、この受部内に突出し、そしてこれらの溝のうちの１つに受容されるためのサイズおよび形状にされる。この位置決め部材は、このアンカー棒の長手方向軸からほぼ半径方向外向きに延びるクランプ留め部材を支持する。このアンカー棒とこの位置決め部材との相対移動は、このクランプ留め部材とこの物体との間の距離を変化させる。
【００３２】
（発明の要旨）
１つの局面において、物体を支持具に固定するための、入れ子式に調節可能なクランプは、一般に、アンカー棒を備え、このアンカー棒は、第一の端部分、第二の端部分、および長手方向軸を有する。このアンカー棒は、このアンカー棒の第一の端部分に物体を固定するために適合されており、そしてこのアンカー棒に形成された、軸方向に間隔を空けた周囲に延びる複数の溝を備える。これらの溝は、隣接する溝の間に、少なくとも１つのバリア壁を規定する。このクランプは、受部を規定する位置決め部材を備え、この受部は、このアンカー棒の少なくとも第二の端部分を受容するためのサイズおよび形状にされており、そしてこの受部内での、この位置決め部材に対するこのアンカー棒の動きを可能にする。この位置決め部材は、位置決めタブを備え、この位置決めタブは、この受部内に突出し、そしてこれらの溝のうちの１つに受容されて、このバリア壁によりこの１つの溝に保持されるためのサイズおよび形状にされる。この位置決めタブおよびこのバリア壁のうちの少なくとも一方は、この位置決めタブを移動させてこれらの溝のうちの１つから外すために、このアンカー棒の長手方向軸に沿った解放力の付与の際に弾力的に偏向可能である。このクランプは、この位置決め部材によって支持されたクランプ留め部材を備え、このクランプ留め部材は、このアンカー棒の長手方向軸からほぼ半径方向外向きに延びる。このアンカー棒とこの位置決め部材との相対移動は、この物体をこの支持具にクランプ留めするために、このクランプ留め部材とこのアンカー棒の第一の端部分との間の距離を変化させる。
【００３３】
別の局面において、物体を支持具に固定するためのクランプは、一般に、１対のアンカー棒を備え、これらのアンカー棒の各々は、長手方向軸を有し、そしてこの物体への固定のために適合されている。このクランプは、位置決め部材およびクランプ留め部材を備え、これらの位置決め部材の各々は、この位置決め部材とスライドする関係でこれらのアンカー棒のうちのそれぞれ１つを受容し、そしてこれらのクランプ留め部材の各々は、このアンカー棒に対する位置決め部材との連動のために、この位置決め部材のうちのそれぞれ１つに接続されている。これらのクランプ留め部材は、このアンカー棒の長手方向軸からほぼ半径方向外向きに延びる。このクランプは、これらの位置決め部材およびこれらのクランプ留め部材に接続された把持部材を備え、この把持部材は、これらの位置決め部材の間隔を空ける。この把持部材は、手で把持されるためのサイズにされ、そして湾曲した輪郭を有する。
【００３４】
他の特徴は、部分的には明らかであり、そして部分的には本明細書中で以下に指摘される。本発明の上記局面に関連して記載された特徴の、種々の改良が存在する。さらなる特徴もまた、本発明の上記局面に同様に組み込まれ得る。これらの改良およびさらなる特徴は、個々に存在しても任意の組合せで存在してもよい。例えば、本発明の例示的な実施形態のいずれかに関連して以下で議論される種々の特徴は、本発明の上記局面のうちのいずれかに、単独で組み込まれても任意の組合せで組み込まれてもよい。
【発明の効果】
【００３５】
本発明により、ベッドフックが様々な幅を有する支持具にしっかりと固定され得るように調節可能である、ベッドフックが提供される。  
【発明を実施するための最良の形態】
【００３６】
対応する参照符号は、図面全体にわたって対応する部品を示す。
【００３７】
（図面の詳細な説明）
ここで図面を参照し、特に図１および図２を参照すると、本発明の原理により構築されたクランプは、一般に、１で示される。クランプ１は、物体を支持具に固定するために適切であり、そして特に、連続的圧縮デバイスの制御装置９を、例えば、医療用ベッドの足板、頭板または側壁に固定するためによく適している。本明細書中のクランプは、連続的圧縮デバイスの制御装置を支持するように図示されるが、このクランプは、種々の物体（例えば、他の種々の医療装置または非医療装置が挙げられる）を固定し得る。
【００３８】
連続的圧縮デバイスの制御装置の例およびこのデバイスとのこのような制御装置の使用は、米国特許第５，８７６，３５９号に図示および記載されており、これは、本明細書中に参考として援用される。制御装置９は、表面板２２および主本体２５を備える。制御装置９は、図２において、この制御装置からクランプ１を分解されて図示されている。
【００３９】
新規クランプ１は、入れ子式に調節可能であり、その結果、この制御装置は、種々の厚さを有する支持具にしっかりと固定され得る。図２を参照すると、このクランプは、１対のアンカー棒５を備え、これらのアンカー棒の各々は、長手方向軸を規定する。アンカー棒の数は、２より多くても少なくてもよく、本発明の範囲内である。各アンカー棒５は、第一の端部分１３を有し、この第一の端部分は、制御装置９の主本体２５に固定されるように適合される。各棒５の第一の端部分１３は、例えば、接着剤、ボルトおよびナット、またはねじによって、固定され得る。図示される実施形態において、各アンカー棒５は、主本体２５に、アンカー棒のねじ切りされた開口部５Ａに受容されるボルト２６によって固定される（図４）。あるいは、アンカー棒５の第一の端部分１３または全体が、制御装置の本体２５と一体であり得る。各アンカー棒５は、第二の端部分１７を備える。アンカー棒５は、金属（好ましくは、ステンレス鋼）から構築され得る。
【００４０】
クランプ１は、一般に３０で示される、１対の位置決め部材を備える。各位置決め部材３０は、受部２１を規定する。受部２１は、１つのアンカー棒５の第二の端部分１７を受容するためのサイズおよび形状にされる。アンカー棒５の第二の端部分１７は、位置決め部材３０に固定されず、むしろ、受部２１内でこの位置決め部材に対して移動し得る。
【００４１】
位置決め部材３０は、クランプ留め部材４２を支持する。クランプ留め部材４２は、各それぞれのアンカー棒５の長手方向軸からほぼ半径方向外向きに延びる。位置決め部材３０は、このクランプ留め部材に、例えば、接着剤、ナットおよびボルト、ねじ、ならびにさねはぎによって固定され得る。図示される実施形態において、位置決め部材３０およびクランプ留め部材４２は、１つの部品として成形される。クランプ留め部材４２は、間隔を空けた１対のレッグ４０を備え、これらのレッグは、アンカー棒５の長手方向軸からほぼ半径方向に突出する。必要に応じて、各レッグ４０は、１片の摩擦発生材料（例えば、ゴム）を備えて、この支持具の把持を補助し得る。図示される実施形態に示されるように、１片のゴム１４は、レッグ４０の後縁部に位置する。図示されるように、摩擦発生材料片１４は、一方のレッグ４０から他方のレッグ４０まで連続的に延びる。この摩擦発生材料片に関する他の構成（例えば、間隔を空けた複数の摩擦発生材料片）が本発明の範囲内であることが理解される。位置決め部材３０およびレッグ４０は、プラスチックから（必要に応じて、病院環境において使用される消毒薬およびクレンザーと化学的に適合性である樹脂（例えば、ＸＥＮＯＹ（ＧＥ  Ｐｌａｓｔｉｃｓ（Ｐｉｔｔｓｆｉｅｌｄ，ＭＡ）から市販されている、半結晶性ポリエステルとポリカーボネートとのブレンド））から）成形され得る。
【００４２】
ここで図３を参照すると、軸方向に間隔を空けた、周囲に延びる複数の溝３３が、アンカー棒５に形成されている。溝３３は、これらの溝を分離する１対のバリア壁３５を規定する。各位置決め部材３０は、位置決めタブ４５を備え、この位置決めタブは、それぞれの周囲の溝３３内に嵌り、そしてバリア壁３５によって（少なくとも部分的に）溝内に保持されるためのサイズおよび形状にされる。本明細書中以下により完全に記載されるように、位置決めタブ４５は、弾力的に偏向可能であり得、その結果、アンカー棒５の長手方向軸に沿った充分な力の付与の際に、位置決めタブは、その溝３３から外れるように移動し、そして別の溝内に再度位置し、これによって、制御装置９とクランプ留め部材４２のレッグ４０との間の距離の変化を生じる。このクランプは、１対の位置決めタブ４５を備えるように図示されるが、このクランプが適切に伸縮するために必要とされるタブは、１つのみである。溝３３は、アンカー棒５をキャスティングする間にこのアンカー棒に形成され得るか、または後に機械加工によって形成され得る。
【００４３】
別の実施形態（図示せず）においては、位置決めタブ４５ではなくアンカー棒５のバリア壁３５が偏向可能である。
【００４４】
位置決め部材３０によって規定される受部２１は、支持セクション５９を備え、この支持セクションは、溝３３のうちの少なくとも１つの両側でアンカー棒５とスライドするが緊密に接触して係合するためのものである。受部２１はまた、捕捉セクション７２を備え、この捕捉セクションは、アンカー棒５の第二の端部分１７を捕捉するためのものである。支持セクション５９内の受部２１の直径は、捕捉セクション７２内の受部の直径より小さい。その結果、肩部または止め７８（図３）が、支持セクション５９と捕捉セクション７２との間に規定される。第二の端部分１７は、保持具７５を備え、この保持具は、アンカー棒５から、支持セクション５９内の受部の半径より大きい半径まで、外向きに突出する。止め７８は、保持具７５を受部２１の捕捉セクション７２に制限し、そしてアンカー棒５が位置決め部材３０から外れることを防止する。
【００４５】
図４を参照すると、クランプ１が、その完全に引き込まれた位置（すなわち、クランプ留め部材４２のレッグ４０と制御装置９との間の距離が最小である位置）で示されている。クランプ１は、図５において、その完全に伸長した位置（すなわち、クランプ留め部材４２と制御装置９との間の距離が最大である位置）で示されている。換言すれば、アンカー棒５と位置決め部材３０との間の相対移動は、クランプ留め部材４２のレッグ４０と、アンカー棒の第一の端部分１３との間の距離を変化させて、種々の幅の足板または他の支持構造体に適合する。
【００４６】
図６を参照すると、各位置決め部材３０は、フィンガー（一般に、６２で示される）を備え、このフィンガーは、その基部６５において、位置決め部材の保持具と可撓性に接合される。位置決めタブ４５は、フィンガー６２の自由端縁部６７に位置する。位置決めタブ４５は、受部２１の、クランプ留め部材４２から離れた端部に位置するが、この位置決めタブは、一般に、アンカー部材３０の長さに沿った任意の位置に位置し得ることが理解されるべきである。充分に大きい力がアンカー棒５の軸に沿って付与されることに応答して、フィンガー６２は、基部６５において偏向して、位置決めタブ４５を移動させて溝３３から外し、前述のように、クランプ留め部材４２の位置を調節する。
【００４７】
図６および図７を参照すると、手に把持されるためのサイズおよび形状にされた把持部材７９が、１対の位置決め部材３０およびレッグ４０に取り付けられて、クランプ１を保持してレッグ４０を制御装置９に対して再位置決めするためにクランプ１を把持することを補助する。レッグ４０は、把持部材７９および位置決め部材３０から外向きに延びるので、これらのレッグおよびグリップ部材は、ほぼ「Ｕ」字型の形状を形成し、これは、この把持部材が手によって把持されることを可能にする。把持部材７９は、プラスチックから（必要に応じて、病院環境において使用される消毒薬およびクレンザーと化学的に適合性である樹脂（例えば、ＸＥＮＯＹ）から）成形され得る。
【００４８】
把持部材７９は、長手方向軸ＬＡを有し、そして湾曲した輪郭を有し、この湾曲した輪郭は、この長手方向軸周りの方向に湾曲する。レッグ４０は、把持部材７９から遠い方の端部に向かって、幅がテーパ状である。把持部材７９は、前面７４および後面７６を有する。把持部材７９の後面７６は、手の指の一部分を受容するための、複数の指用窪み８２を形成する。
【００４９】
図８を参照すると、クランプ１の別の実施形態は、各アンカー部材３０とクランプ留め部材４２との間に延びる、段付き構成物８６を備える。段付き構成物８６は、支持具と接触し、そして制御装置９が水平に保たれるように制御装置９およびクランプ１が固定されることを可能にし、そしてクランプ１と支持具（例えば、想像線で示される足板Ｆ）とがよりきつく嵌ることを可能にする。
【００５０】
図９〜図１１は、物体を支持具（例えば、足板Ｆ（図１０））に固定するためのクランプの別の実施形態１０１を図示する。クランプ１の部品に対応するクランプ１０１の部品は、同じ参照番号に「１００」を加えたものを与えられる。クランプ１０１は、１対のアンカー棒１０５を備え、これらのアンカー棒の各々は、長手方向軸を規定する。各棒１０５の第一の端部分１１３は、適切な様式で（例えば、各第一の端部分１１３の開口部に螺合されるボルト（図示せず）によって）、制御装置の本体２５に固定され得る。クランプ（図示せず）は、制御装置の本体２５と１つの部品として形成され得る。各アンカー棒１０５は、第二の端部分１１７を備える。
【００５１】
クランプ１０１は、１対の延長部材１２９を備え、これらの延長部材は、アンカー棒１０５の長手方向軸から外向きかつ下向きに延びる。１対のレッグ１４０が、延長部材１２９から下向きに突出する。横材１７９が、１対のレッグ１４０に取り付けられ、そしてクランプ１０１を把持するために適切である。図９〜図１１の実施形態において、アンカー棒１０５、延長部材１２９および横材１７９は、制御装置９を支持構造体（例えば、図１０に示される足板Ｆ）に取り付けるためのフックを形成する。アンカー棒１０５、延長部材１２９、レッグ１４０および横材１７９は、種々の方法によって固定され得る。好ましくは、図示される実施形態において、アンカー棒１０５、延長部材１２９、レッグ１４０および横材１７９は、互いに１つの部品として形成される。アンカー棒１０５、延長部材１２９、レッグ１４０、および横材１７９は、プラスチックまたは金属から構築され得、そして好ましくは、ステンレス鋼から構築される。
【００５２】
制御装置９は、電力を制御装置に供給するためのラインコード１９を備える（図１１）。ラインコード１９は、制御装置９が使用されていない場合、病院の人員によってクランプ１０１のアンカー棒１０５の周りに巻かれ得る。このことは、制御装置９が病院環境において小型に保存されることを可能にする。延長部材１２９は、アンカー棒１０５の長手方向軸から外向きに延び、その結果、巻き付けられたラインコードは、制御装置９と延長部材１２９との間に固定される。この配置は、巻き付けられたラインコードがこのクランプから滑って外れて巻きが解けることにより、つまづく危険の原因になることを防止する。
【００５３】
本発明またはその好ましい実施形態の要素を紹介する場合に、冠詞「ａ」、「ａｎ」、「ｔｈｅ」および「ｓａｉｄ」は、１つ以上のこれらの要素が存在することを意味することが意図される。用語「備える」、「含む」および「有する」は、包括的であり、列挙される要素以外にさらなる要素が存在し得ることを意味することが意図される。
【００５４】
上記のことを考慮して、本発明の数個の目的が達成され、そして他の有利な結果が達成されることがわかる。
【００５５】
種々の変更が、本発明の範囲から逸脱することなく上記方法においてなされ得るので、上記説明に含まれる事項および添付の図面に図示される事項の全ては、例示と解釈されるべきであり、限定の意味ではないことが意図される。
【図面の簡単な説明】
【００５６】
【図１】図１は、クランプおよび連続的圧縮デバイスの制御装置の斜視図である。
【図２】図２は、図１のクランプおよび制御装置の分解斜視図である。
【図３】図３は、上記クランプの拡大部分断面図である。
【図４】図４は、クランプが制御装置に最も近い位置にある、上記クランプおよび制御装置の部分断面図である。
【図５】図５は、図４の断面であるが、クランプが制御装置から最も遠い位置にある。
【図６】図６は、図１のクランプの位置決め部材の背面斜視図である。
【図７】図７は、図１の位置決め部材の正面斜視図である。
【図８】図８は、連続的圧縮デバイスの制御装置および別の実施形態のクランプの側面立面図である。
【図９】図９は、クランプのなお別の実施形態の背面斜視図である。
【図１０】図１０は、図９のクランプを組み込む連続的圧縮デバイスの制御装置の側面立面図である。
【図１１】図１１は、図１０に示される制御装置およびクランプの保管のためにラインコードがこのクランプの周りに巻かれた、制御装置およびクランプの背面斜視図である。
【符号の説明】
【００５７】
１  クランプ
９  制御装置
５  アンカー棒
５Ａ  開口部
１３  第一の端部分
１７  第二の端部分
２１  受部
２２  表面板
２５  主本体
２６  ボルト
３０  位置決め部材
【図１】
2009112822.tif 000003
【図２】
2009112822.tif 000004
【図３】
2009112822.tif 000005
【図４】
2009112822.tif 000006
【図５】
2009112822.tif 000007
【図６】
2009112822.tif 000008
【図７】
2009112822.tif 000009
【図８】
2009112822.tif 000010
【図９】
2009112822.tif 000011
【図１０】
2009112822.tif 000012
【図１１】
2009112822.tif 000013